(57)【要約】【課題】  スリット状の吹出口の長手方向に隣接する収納部内に結露が生じにくい空気調和装置用化粧パネル及びこの化粧パネルを用いた空気調和装置を提供することを目的とする。【解決手段】  空気調和装置の外装を構成し、空気調和装置によって空調処理が施された空調空気を吹出するスリット状の吹出口４と、吹出口４に対してその長手方向に隣接配置されて各種電子部品が収納される収納部１２とを有する空気調和装置用化粧パネル２において、吹出口４と収納部１２との境界部分に、吹出口４側に位置する外側仕切り板２１と、収納部１２側に位置する内側仕切り板２２とを設け、外側仕切り板２１と内側仕切り板２２との間に、収納部１２と外部とを隔離する緩衝空間２３を形成する。【選択図】      図３
2006234316.tif 000002
【特許請求の範囲】
【請求項１】
空気調和装置の外装を構成し、該空気調和装置によって空調処理が施された空調空気を吹出するスリット状の吹出口と、該吹出口に対してその長手方向に隣接配置されて各種電子部品が収納される収納部とを有する空気調和装置用化粧パネルであって、
前記吹出口と前記収納部との境界部分には、前記吹出口側に位置する外側仕切り板と、前記収納部側に位置する内側仕切り板とが設けられていて、前記外側仕切り板と前記内側仕切り板との間に、前記収納部と外部とを隔離する緩衝空間が形成されている空気調和装置用化粧パネル。
【請求項２】
請求項１記載の空気調和装置用化粧パネルを用いた空気調和装置。
【発明の詳細な説明】
【技術分野】
【０００１】
本発明は、空気調和装置用化粧パネル及びこれを用いた空気調和装置、特に、天井埋込型空気調和装置に用いられる空気調和装置用化粧パネル及びこれを用いた天井埋込型空気調和装置に関するものである。
【背景技術】
【０００２】
空気調和装置としては、例えば、天井に設置される天井埋込型空気調和装置がある。
天井埋込型空気調和装置は、最下部を天井面に露出させた状態にして天井に埋め込まれるハウジングと、ハウジング内に設置されて室内雰囲気に空調処理を施す熱交換ユニットとを有している。
ハウジングの最下部は化粧パネルによって覆われている。この化粧パネルは、熱交換ユニットが室内空気を取り込むための室内空気取入口と、熱交換ユニットによって空調処理が施された空調空気を室内に吹出させるためのスリット状の吹出口とを有している。
吹出口には、その長手方向に沿って延びるルーバーが、長手方向に略平行な軸線回りに揺動可能にして設けられており、ルーバーの軸線回りの向きを変えることで、空調空気の吹出方向を調整することができるようになっている。
このような天井埋込型空気調和装置としては、例えば後記の特許文献１記載の空気調和装置が知られている。
【０００３】
一般的に、化粧パネルは、吹出口に対してその長手方向に隣接配置された凹部と、この凹部を覆って凹部内に室内空間とは隔離された収納部を形成するカバーとを有している。この収納部には、ルーバーを駆動する電動モーター等のルーバー駆動装置や、天井埋込型空気調和装置の動作制御に用いられるセンサ等、各種の電子部品が収納されている。
また、吹出口の長手方向の端部と凹部との境界部分には、ルーバーの長手方向の端部を支持する支持構造が設けられており、ルーバーは、この支持構造を介してルーバー駆動装置と接続されている。
【０００４】
【特許文献１】特開平１１−１４１９１０号公報
【発明の開示】
【発明が解決しようとする課題】
【０００５】
吹出口と凹部との境界部分には仕切り板が設けられているが、この境界部分にはルーバーの端部を支持する支持構造が設けられているために、吹出口と収納部とを完全に仕切ることはできなかった。
このため、天井埋込型空気調和装置の冷房運転時に吹出口から吹出された低温の空調空気の一部が収納部内に入り込むと、この空調空気によって収納部内の雰囲気が冷却されるため、この雰囲気に含まれる水分が凝縮して、収納部内に結露が生じてしまうことがあった。
また、収納部内に空調空気が直接入り込まなくても、仕切り板自体が空調空気によって冷却されるため、収納部内の雰囲気が低温となった仕切り板の表面に触れることでこの雰囲気に含まれる水分が凝縮して、収納部内に結露が生じてしまうことがあった。
前記のように、収納部内には各種の電子部品が設置されているので、これら電子部品に悪影響が生じないように、収納部内での結露を防止することが望まれている。
【０００６】
本発明は、このような事情に鑑みてなされたものであって、収納部内に結露が生じにくい空気調和装置用化粧パネル及びこの化粧パネルを用いた空気調和装置を提供することを目的とする。
【課題を解決するための手段】
【０００７】
上記課題を解決するために、本発明の空気調和装置用化粧カバー及びこれを用いた空気調和装置は以下の手段を採用する。
すなわち、本発明にかかる空気調和装置用化粧カバーは、空気調和装置の外装を構成し、該空気調和装置によって空調処理が施された空調空気を吹出するスリット状の吹出口と、該吹出口に対してその長手方向に隣接配置されて各種電子部品が収納される収納部とを有する空気調和装置用化粧パネルであって、前記吹出口と前記収納部との境界部分には、前記吹出口側に位置する外側仕切り板と、前記収納部側に位置する内側仕切り板とが設けられていて、前記外側仕切り板と前記内側仕切り板との間に、前記収納部と外部とを隔離する緩衝空間が形成されていることを特徴とする。
【０００８】
このように構成される空気調和装置用化粧パネルでは、吹出口と収納部との境界部分に、外側仕切り板と内側仕切り板とが設けられており、これら仕切り板によって吹出口と収納部内の空間とが仕切られている。
この空気調和装置用化粧パネルでは、吹出口から収納部に流れ込もうとする空調空気は、まず外側仕切り板によって遮断され、一部の空調空気が外側仕切り板を通過しても、この空調空気は内側仕切り板によって遮断される。
このように、この空気調和装置用化粧パネルでは、収納部内に空調空気が侵入しにくいので、空気調和装置の冷房運転時にも、収納部内に結露が生じにくい。
また、外側仕切り板と内側仕切り板との間には緩衝空間が形成されていて、外側仕切り板自体が空調空気によって冷却されて低温になっても、その冷気が内側仕切り板に伝わりにくいので、収納部内に結露が生じにくい。
【０００９】
本発明にかかる空気調和装置は、請求項１記載の空気調和装置用化粧パネルを用いたことを特徴とする。
この空気調和装置では、空気調和装置用化粧パネルの吹出口と収納部との境界部分に、外側仕切り板と内側仕切り板とが設けられていて、これら仕切り板によって吹出口と収納部内の空間とが仕切られている。また、これら外側仕切り板と内側仕切り板との間に緩衝空間が設けられている。
このため、この空気調和装置では、収納部内に結露が生じにくい。
【発明の効果】
【００１０】
本発明にかかる空気調和装置用化粧カバー及びこれを用いた空気調和装置によれば、収納部内の結露を効果的に防止することができる。これにより、収納部内の各種電子部品に悪影響が生じにくい。
【発明を実施するための最良の形態】
【００１１】
以下に、本発明に係る空気調和装置の一実施形態について、図面を参照して説明する。本実施形態では、図１に示すように、本発明を、天井に埋め込まれる天井埋込型空気調和装置に適用した例を示す。
本実施形態に係る空気調和装置１は、図示しないが、最下部を天井面Ｒに露出させた状態にして天井に埋め込まれるハウジングと、ハウジング内に設置されて室内空気に空調処理を施す熱交換ユニットとを有している。
【００１２】
ハウジングの最下部は略四角形状の空気調和装置用化粧パネル２によって覆われている。この空気調和装置用化粧パネル２は、ハウジング内の熱交換ユニットが室内空気を取り込むための室内空気取入口３と、熱交換ユニットによって空調処理が施された空調空気を室内に吹出させるための吹出口４とを有している。
吹出口４は、空気調和装置用化粧パネル２の各辺に沿って延びるスリット状に形成されている。また、吹出口４には、その長手方向に沿って延びるルーバー５が、長手方向に略平行な回転軸線回りに揺動可能にして設けられており、ルーバー５の回転軸線回りの向きを変えることで、空調空気の吹出方向を調整することができるようになっている。
ルーバー５は、長手方向に直交する断面が略円弧状をなす板状の部材であって、その長手方向の両端には回転軸線と同軸にして円柱状の軸部５ａが設けられている（図３参照）。
【００１３】
図２に示すように、空気調和装置用化粧パネル２の各コーナー部には、吹出口４に対してその長手方向に隣接配置される凹部１１と、この凹部１１を覆って凹部１１内に室内空間とは隔離された収納部１２を形成するカバー１３とが設けられている。
図２及び図３に示すように、この収納部１２には、ルーバー５を駆動するルーバー駆動装置１６が設けられている。ルーバー駆動装置１６としては、例えばステップモーター等の電動モーターが用いられる。
また、図示しないが、収納部１２には、ルーバー駆動装置１６の他にも、空気調和装置１の動作制御に用いられるセンサ等、各種の電子部品が収納されている。
【００１４】
吹出口４の長手方向の端部と凹部１１との境界部分には、ルーバー５を支持する支持構造が設けられている。ルーバー５は、この支持構造を介してルーバー駆動装置１６と接続されていて、ルーバー駆動装置１６によって、空気調和装置１の運転状況に応じて、軸線回りの向きを調整されるようになっている。
【００１５】
図３に示すように、吹出口４と収納部１２との境界部分には、吹出口４側に位置する外側仕切り板２１と、収納部１２側に位置する内側仕切り板２２とが設けられていて、外側仕切り板２１と内側仕切り板２２との間に、収納部１２と外部とを隔離する緩衝空間２３が形成されている。
具体的には、吹出口４と収納部１２との境界部分には、吹出口４側に、外側仕切り板２１を構成する外側補強リブ２６が設けられ、収納部１２側に、内側仕切り板２２を構成する内側補強リブ２７が設けられている。
【００１６】
外側補強リブ２６及び内側補強リブ２７は、それぞれ吹出口４と収納部１２との境界に沿って凹部１１の底面から立ち上げられた壁状の部材である。
外側補強リブ２６及び内側補強リブ２７のうち凹部１１の開口端側には、外側補強リブ２６及び内側補強リブ２７の延在方向に沿ってクランプ部材１７が設けられている。ルーバー５の軸部５ａは、クランプ部材１７によって回転軸線周りの回転を可能にして空気調和装置用化粧パネル２に保持されている。すなわち、このクランプ部材１７が支持構造を構成している。
【００１７】
図４及び図５に示すように、クランプ部材１７は、有底の略長方形箱形状をなす上部１７ａと、上部１７ａの長手方向の中央部から下方に突出する下部１７ｂとを有している。クランプ部材１７は、上部１７ａの底面を凹部１１の底面に対してボルト止め等の手段によって着脱可能にして固定されている。
クランプ部材１７の下部１７ｂは、ルーバー５の軸部５ａをその回転軸線回りの回転を許容しつつ受ける軸受部とされている。ここで、クランプ部材１７において吹出口４側の側面１７ｃは、外側補強リブ２６と共に外側仕切り板２１を構成し、収納部１２側の側面１７ｄは、軸受部１７ａにおける内側仕切り板２２を構成している。また、クランプ部材１７の上部１７ａ内の空間も、緩衝空間２３を構成している。
【００１８】
このように構成される空気調和装置１では、吹出口４と収納部１２との境界部分に、外側仕切り板２１と内側仕切り板２２とが設けられており、これら仕切り板によって吹出口４と収納部１２内の空間とが仕切られている。
この空気調和装置１では、吹出口４から収納部１２に流れ込もうとする空調空気は、まず外側仕切り板２１によって遮断され、一部の空調空気が外側仕切り板２１を通過しても、この空調空気は内側仕切り板２２によって遮断される。
このように、この空気調和装置１では、収納部１２内に空調空気が侵入しにくいので、冷房運転時にも、収納部１２内に結露が生じにくい。
また、外側仕切り板２１と内側仕切り板２２との間には緩衝空間２３が形成されていて、外側仕切り板２１自体が空調空気によって冷却されて低温になっても、その冷気が内側仕切り板２２に伝わりにくいので、収納部１２内に結露が生じにくい。
このように、この空気調和装置１では、収納部１２内の結露を効果的に防止することができ、収納部１２内の各種電子部品に悪影響が生じにくい。
【図面の簡単な説明】
【００１９】
【図１】本発明の一実施形態に係る空気調和装置を示す斜視図である。
【図２】本発明の一実施形態に係る空気調和装置の空気調和装置用化粧カバーの構成を示す分解斜視図である。
【図３】本発明の一実施形態に係る空気調和装置の空気調和装置用化粧カバーの構成を示す斜視図である。
【図４】本発明の一実施形態に係る空気調和装置のクランプ部材の構成を示す図であって、（ａ）は平面図、（ｂ）は正面図、（ｃ）は底面図、（ｄ）は側面図である。
【図５】本発明の一実施形態に係る空気調和装置のクランプ部材の構成を示す斜視図である。
【符号の説明】
【００２０】
１  空気調和装置
２  空気調和装置用化粧パネル
４  吹出口
１２  収納部
２１  外側仕切り板
２２  内側仕切り板
２３  緩衝空間
【図１】
2006234316.tif 000003
【図２】
2006234316.tif 000004
【図３】
2006234316.tif 000005
【図４】
2006234316.tif 000006
【図５】
2006234316.tif 000007